(57)【特許請求の範囲】
【請求項１】
机上に設置され、机上の幅方向に所定距離離間して配置される一対の台座と、
前記一対の台座の各々に固設され、鉛直上方向に伸びる支柱と、
前記支柱間に懸架され、使用者が机上で睡眠時にあごを載せるためのハンモックと、
を備え、
前記一対の台座の各々は、上面視略方形状で、鉛直方向に少し厚みを有する部材であり、
前記支柱は、前記一対の台座の略中央に固設されて鉛直上方向に伸びる四角筒状の第１支柱と、第１支柱の内周面を上下方向にスライド可能な四角柱状の第２支柱とからなり、
前記第１支柱の前記幅方向の側面には、鉛直方向に一定距離ずつ離れて複数の側面視四角形状の穴部が形成され、
前記第２支柱の前記幅方向の側面には、鉛直方向に一定距離ずつ離れて複数の側面視四角形状の穴部が形成され、
前記第１支柱に形成された複数の穴部のいずれかと、前記第２支柱に形成された複数の穴部のいずれかとの間に挿通され、任意の高さで前記支柱を固定可能な直方体状の留め具を備え、
前記第２支柱の上端には、上面視で前記ハンモックの長手方向と垂直方向に、直方体状の溝部が形成され、
前記ハンモックは、長手方向中央に向かう程幅広に形成され、且つ、長手方向中央に窪みが形成され、当該ハンモックの長手方向両端において上面視長手方向と垂直方向に、直方体状であって板状の差込部が取り付けられ、当該差込部が前記溝部に差し込まれることで前記支柱間に懸架されることを特徴とするあごハンモック。
【発明の詳細な説明】
【技術分野】
【０００１】
本発明は机上用枕の一種としてのハンモックに関し、デスクに座って楽な姿勢で睡眠をとることに使用される、顔、特にあごを載せる技術に関する。
【背景技術】
【０００２】
デスクワークで多忙な社会人。寝る間も惜しんで勉強する受験生。机にしがみつきハードワークに励む現代人には休息が必要である。しかし、仕事場では横になって休むことが困難であり、また、勉強等の合間に横になることも集中の妨げになってしまう。そのため、短い休憩時間でも机の上で快適に休むことのできる手段が必要不可欠なのである。
【０００３】
例えば、特許文献1には、机の上で快適に寝る為に試案されたスタンド付の枕が記載されている。多くの人間がこれまでの生活の中で頬杖をついて寝る経験をしたことがあると思うが、これをそのまま形にした従来技術である。土台から一本の支柱が伸びその先端に手のひらを模した枕が備えられている。さらに、個人に合わせて好きな高さに調節できる機構も備えられている。これにより、もたれるものが何もない机の上で疲労困憊で眠たくてしょうがない場合に、楽な姿勢で睡眠をとることが可能である。
【先行技術文献】
【特許文献】
【０００４】
【特許文献１】特開２００９−２９７４８６号公報
【発明の概要】
【発明が解決しようとする課題】
【０００５】
しかしながら、上記従来技術では、土台が不安定などの問題があった。従来技術の発明は土台の上に一本の支柱が伸びその先端に手のひらを模した枕がついている訳だが、まず、スタンドが一本足では枕に対して机方向に垂直に荷重がかからなければ、バランスを崩し転倒してしまう可能性が高い。熟睡している時に顔から落ちようものならば、無防備な状態なので非常に危険である。さらには、先端部の枕は、顔を必ず左右どちらかに向けた状態で使用するものである。この状態では窮屈であり、また顔の向きを変えることもできない。加えて、首の一部に大きな負担をかけることとなってしまう。
【０００６】
そこで、本発明のあごハンモックではこれらの諸問題を解決し、机の上で安定して安らかな眠りを提供することを目的とする。
【課題を解決するための手段】
【０００７】  本発明に係るあごハンモックは、机上に設置され、机上の幅方向に所定距離離間して配置される一対の台座と、前記一対の台座の各々に固設され、鉛直上方向に伸びる支柱と、前記支柱間に懸架され、使用者が机上で睡眠時にあごを載せるためのハンモックと、を備え、前記一対の台座の各々は、上面視略方形状で、鉛直方向に少し厚みを有する部材であり、前記支柱は、前記一対の台座の略中央に固設されて鉛直上方向に伸びる四角筒状の第１支柱と、第１支柱の内周面を上下方向にスライド可能な四角柱状の第２支柱とからなり、前記第１支柱の前記幅方向の側面には、鉛直方向に一定距離ずつ離れて複数の側面視四角形状の穴部が形成され、前記第２支柱の前記幅方向の側面には、鉛直方向に一定距離ずつ離れて複数の側面視四角形状の穴部が形成され、前記第１支柱に形成された複数の穴部のいずれかと、前記第２支柱に形成された複数の穴部のいずれかとの間に挿通され、任意の高さで前記支柱を固定可能な直方体状の留め具を備え、前記第２支柱の上端には、上面視で前記ハンモックの長手方向と垂直方向に、直方体状の溝部が形成され、前記ハンモックは、長手方向中央に向かう程幅広に形成され、且つ、長手方向中央に窪みが形成され、当該ハンモックの長手方向両端において上面視長手方向と垂直方向に、直方体状であって板状の差込部が取り付けられ、当該差込部が前記溝部に差し込まれることで前記支柱間に懸架されることを特徴とする。
【発明の効果】
【０００８】
本発明によれば、机の上で安定して安らかな眠りを提供することができる。
【図面の簡単な説明】
【０００９】
【図１】本発明の一実施形態に係るあごハンモックを示す斜視図である。
【図２】本発明の一実施形態に係るあごハンモックの使用形態を示す図である。
【発明を実施するための形態】
【００１０】
以下に、本発明の実施の形態を説明する。本実施形態では、本発明に係る机上用枕の一種として、図１に示すあごハンモック３００を例に挙げて説明する。
【００１１】
図１は、本発明の一実施形態に係るあごハンモック３００を示す斜視図である。図１に示すあごハンモック３００は、一対の台座１０１と、各々の台座１０１から鉛直上方向に伸びる二本の支柱１００ａ、１００ｂからなるスタンド部１００と、各々の支柱１００ｂの先端（上端）間に懸架されるハンモック部２００からなる。
【００１２】
台座１０１は、机上に設置され、上面視略方形状で、鉛直方向に少し厚みを有する部材である。一対の台座１０１は、机の幅方向に所定距離離間して配置されることによって、土台としての安定性を保つことができる。特に、机の幅方向に３０ｃｍ程度離間して配置されることが好ましい。この台座１０１の材質は、強度、安全面の関係からアルミ等の金属類が好ましい。
【００１３】
スタンド部１００は、台座１０１の略中央に固設されて鉛直上方向に伸びる四角筒状の支柱１００ａと、支柱１００ａの内周面を上下方向にスライド可能な四角柱状の支柱１００ｂとからなる。支柱１００ｂの上端には、ハンモック部２００の長手方向と垂直に形成された溝部としての隙間部２０１が設けられ、この隙間部２０１の上方から、ハンモック部２００の差込部２０２が差し込まれる。このスタンド部１００の材質は、強度、安全面の関係から、台座１０１と同様にアルミ等の金属類が好ましい。なお、支柱１００ａ、１００ｂの形状は、それぞれ円筒状、円柱状等、他の形状であっても良い。また、支柱１００ａ、１００ｂは、一つの支柱として一体的に構成されても良い。
【００１４】
支柱１００ａ、１００ｂは、高さ調節機構１０３を備えている。ここでいう高さ調節機構１０３とは、支柱１００ａの側面に鉛直方向に一定距離ずつ離れて形成された複数の穴部１００ｃと、支柱１００ｂの側面に鉛直方向に一定距離ずつ離れて形成された複数の穴部１００ｄと、これら穴部１００ｃ、１００ｄに挿通され、任意の高さで固定することが可能な略直方体状の留め具１０４とからなる。
【００１５】
ハンモック部２００は、長手方向中央に向かう程幅広（ｄ１＞ｄ２）に形成されたハンモック２０３と、ハンモック２００の長手方向両端に取り付けられ、ハンモック部２００を隙間部２０１に差し込むための差込部２０２とからなる。このハンモック部２００は、差込部２０２が隙間部２０１に差し込まれることによって、スタンド部１００に設置される。なお、ハンモック部２００は、スタンド部１００に固定してもよいし、脱着可能としても良い。
【００１６】
ハンモック２０３は、あごを載せることができる面を持つ、網、布等の材質が好ましいが、こちらも安全面のため荷重に耐えることができるものが良い。長手方向中央に向かう程幅広に形成されたハンモック２０３によって、ユーザは休息時にも顔の向きを左右に自由に変えたりすることができ、首に大きな負担がかかることなく、安定して安らかに眠ることができる。また、あごを乗せやすいようにハンモック２０３の中央部には窪みや切れ目などがあってもよい。
【００１７】
図２は、本発明の一実施形態に係るあごハンモックの使用形態を示す図である。使い方はさまざまであるが、机に座った状態で机上に置いたあごハンモックのハンモック部にあごを乗せ、図２に示すような、抱え込むような姿勢が最も安定する。
【符号の説明】
【００１８】
１００  スタンド部
１００ａ、１００ｂ  支柱
１００ｃ、１００ｄ  穴部
１０１  台座
１０３  高さ調節機構
１０４  留め具
２００  ハンモック部
２０１  隙間部
２０２  差込部
２０３  ハンモック
【図１】
0005915983.tif 000002
【図２】
0005915983.tif 000003